(57)【要約】【課題】  パーツの組み合わせによってデザインのバリエーションを増やすことができ、またくつろぎ方に応じてソファ形態を変更することも可能で、しかも、カバーリング作業や搬入作業も容易な組立・組替えが可能なソファ構造物を提供すること。【解決手段】  複数個の基台ユニットＵ・Ｕ…と；背凭れとして使用可能な高さを有するハイブロック体２・２…と；肘掛けや足載せとして使用可能なローブロック体３・３…とを含んで組立て式のソファを構成し、更に上記ソファ基台１を構成する基台ユニットＵ・Ｕ…の少なくとも隣接する二側辺の上面には、単数または複数の差込孔Ｈから成るブロック固定部11・11を形成し、また前記ハイブロック２及びローブロック３の下面には、前記ブロック固定部11・11の差込孔Ｈに取付け可能な差込ボスＢ・Ｂを配設した。【選択図】  図１
2012223484.tif 000002
【特許請求の範囲】
【請求項１】
平面視で大略正方形又は長方形を成す複数個の基台ユニット(Ｕ)と；下面には少なくとも一個の差込ボスＢを備えていると共に、それ自身は背凭れとして使用可能な高さを有するハイブロック体(２)と；このハイブロック体(２)よりも高さが低く、かつ、肘掛けや足載せとして使用可能であって、その下面には少なくとも一個の差込ボスＢを備えたローブロック体(３・３…)とを含んで構成されており、
前記基台ユニット(Ｕ・Ｕ…)を、室内空間のスペースに合わせて横方向又は縦方向に連接させて所望のソファ基台(１)を配列形成する一方、
これらソファ基台(１)を構成する基台ユニット(Ｕ)の少なくとも隣接する二側辺の上面には、単数または複数の差込孔(Ｈ)から成るブロック固定部(11)が形成され、
こうして配列形成された前記ソファ基台(１)には、着座者が前記基台に腰掛けたとき背中側となる側の該当基台ユニット(Ｕ)の各辺のブロック固定部(11)に、前記ハイブロック体(２)下面の差込ボス(Ｂ)を差し込むことによりハイブロック体(２)を配設し、当該ソファ基台(１)の端縁側に位置する基台ユニット(Ｕ)のブロック固定部(11)には、前記ローブロック体(３)下面の差込ボス(Ｂ)を差し込んでローブロック体(３)を配設して、
これらハイブロック体(２)とローブロック体(３)とで囲われる当該ソファ基台(１)上にはシートクッション(４)を敷き詰め可能にすると共に、前記基台ユニット(Ｕ)を必要に応じて並べ替えて、この並べ替えに応じて、ハイブロック体(２)およびローブロック体(３)を入れ替え可能に構成したことを特徴とする組立・組替え可能なソファ構造物。
【請求項２】
平面視で大略正方形を成す複数個の基台ユニット(Ｕ・Ｕ)を並べて形成されたソファ基台(１)と；このソファ基台(１)の各基台ユニット(Ｕ)の一側辺と略同じ幅または一側辺よりも短い幅で形成され、かつ、背凭れとして使用可能な高さを有する複数のハイブロック体(２・２)と；このハイブロック体(２)よりも高さが低く、前記基台ユニット(Ｕ)の一側辺と略同じ幅または一側辺よりも短い幅で形成され、肘掛けや足載せとして使用可能な複数のローブロック体(３・３)と；このローブロック体(３・３)と前記ハイブロック体(２・２)とで囲われる前記ソファ基台(１)上に敷き詰められるシートクッション(４)とを含んで構成され、
更に、前記ハイブロック体(２)とローブロック体(３)の下面には差込ボス(Ｂ・Ｂ)が配設されると共に、前記ソファ基台(１)を構成する基台ユニット(Ｕ・Ｕ)の内、両側に配置される基台ユニット(Ｕ・Ｕ)の少なくとも隣接する二側辺の上面に、前記差込ボス(Ｂ・Ｂ)を挿入可能な差込孔(Ｈ)を配設してブロック固定部(11・11)を設けたことにより、
前記ソファ基台(１)に着座者が腰掛けたとき、背中側に位置する側辺部と両サイドに位置する側辺部にブロック固定部(11)が配置されるように基台ユニット(Ｕ・Ｕ)を配列し、この状態でハイブロック体(２)とローブロック体(３)を入れ替えて寝椅子に変形可能としたことを特徴とする組立・組替え可能なソファ構造物。
【請求項３】
平面視で大略長方形を成すソファ基台(１)と；このソファ基台(１)の短辺部と略同じ幅または短辺部よりも短い幅で形成され、かつ、背凭れとして使用可能な高さを有する複数のハイブロック体(２・２)と；このハイブロック体(２)よりも高さが低く、前記ソファ基台(１)の短辺部と略同じ幅または短辺部よりも短い幅で形成され、肘掛けや足載せとして使用可能な複数のローブロック体(３・３)と；このローブロック体(３・３)と前記ハイブロック体(２・２)とで囲われる前記ソファ基台(１)上に敷き詰められるシートクッション(４)とを含んで構成され、
更に、前記ハイブロック体(２)とローブロック体(３)の下面には差込ボス(Ｂ・Ｂ)が配設されると共に、前記ソファ基台(１)の両側の短辺部を含む隣接する三側辺の上面に、前記差込ボス(Ｂ・Ｂ)を挿入可能な差込孔(Ｈ)を配設してブロック固定部(11・11)を設けたことにより、
前記ソファ基台(１)に着座者が腰掛けたとき、背中側となる側辺部と両サイドの側辺部に固定されるハイブロック体(２)とローブロック体(３)を入れ替えて寝椅子に変形可能としたことを特徴とする組立・組替え可能なソファ構造物。
【発明の詳細な説明】
【技術分野】
【０００１】
本発明は、組立て式ソファの改良、詳しくは、パーツの組み合わせによってデザインのバリエーションを増やすことができ、またくつろぎ方に応じてソファ形態を変形することも可能で、しかも、搬入作業も容易に行える組立・組替え可能なソファ構造物に関するものである。
【背景技術】
【０００２】
周知のとおり、ソファはくつろぐための家具として部屋に設置されることが多く、その種類も一人掛けのシングルソファから複数人掛けのマルチソファ、また足を伸ばした状態で座れるシェーズロングソファや部屋の隅に配置されるコーナーソファなど、様々なタイプが存在する。
【０００３】
ところが、上記ソファに関しては、シングルソファであっても基本的にサイズが大きいため、ソファを購入する際には、まず部屋に搬入できるサイズかどうかを検討しなければならず、ドアの幅や高さ、通路の形状、吊り上げ搬入の可否によっては購入できるソファが制限されることもあった。
【０００４】
また、例えソファがぎりぎり搬入できるサイズであったとしても、搬入の際には、ソファを横向きにしたり斜めに立てたりして角度を変えながら移動させる必要があり、またその作業はソファや内壁が傷付かないように慎重に行う必要があるため、搬入に多くの手間や時間がかかった。
【０００５】
一方、ソファはインテリアとしての側面も強いため、デザインの種類はできるだけ多いことが望ましいが、従来の一体型のソファでは製造コストや在庫管理に問題が生じるためバリエーションの数を制限せざるを得なかった。また、カバーの着脱作業も大変で使い勝手も悪かった。
【０００６】
そこで、従来においては、上記問題を解決するために、背凭れや肘掛け、座部のクッション等をソファ基台に着脱可能なパーツとし、これらのパーツを設置場所で組み立てて完成品を得られるようにした組立て式ソファが提案され、既に公知となっている（例えば、特許文献１及び２参照）。
【０００７】
しかしながら、上記従来の組立て式ソファは、背凭れや肘掛けを取り付ける位置が画一的であったため、ソファの完成形が一パターンしかなく、例えば、マルチソファの肘掛けと背凭れの配置を入れ替えて寝椅子とする等、ソファのくつろぎ方に自由度を持たせることができなかった。
【先行技術文献】
【特許文献】
【０００８】
【特許文献１】実開昭５８−８３６４号公報（第１―３頁、第１〜４図）
【特許文献２】実開平７−３０７９６号公報（第１―３頁、第１〜３図）
【発明の開示】
【発明が解決しようとする課題】
【０００９】
本発明は、上記の如き問題に鑑みて為されたものであり、その目的とするところは、パーツの組み合わせによってデザインのバリエーションを増やすことができ、またくつろぎ方に応じてソファ形態を変更することも可能で、しかも、カバーリング作業や搬入作業も容易な組立・組替えが可能なソファ構造物を提供することにある。
【課題を解決するための手段】
【００１０】
本発明者が上記課題を解決するために採用した手段を添付図面を参照して説明すれば次のとおりである。
【００１１】
即ち、本発明は、平面視で大略正方形または長方形を成す複数個の基台ユニットＵ・Ｕ…と；下面には少なくとも一個の差込ボスＢを備えていると共に、背凭れとして使用可能な高さを有するハイブロック体２・２…と；このハイブロック体２よりも高さが低く、かつ、肘掛けや足載せとして使用可能であって、その下面には少なくとも一個の差込ボスＢを備えた複数のローブロック体３・３…とを含んで組立て式のソファを構成し、
更に上記基台ユニットＵ・Ｕ…を、室内空間のスペースに合わせて横方向又は縦方向に連接させて所望のソファ基台１を配列形成する一方、
これらソファ基台１を構成する基台ユニットＵ・Ｕ…の少なくとも隣接する二側辺の上面には、単数または複数の差込孔Ｈから成るブロック固定部11・11を形成し、
こうして配列形成された前記ソファ基台１には、着座者が前記基台に腰掛けたとき背中側となる側の該当基台ユニットＵの各辺のブロック固定部11に、前記ハイブロック体２下面の差込ボスＢを差し込むことによりハイブロック体２を配設し、当該ソファ基台１の端縁側に位置する基台ユニットＵのブロック固定部11には、前記ローブロック体３下面の差込ボスＢを差し込んでソファ基台Ｕの端縁にローブロック体３を配設して、
これらハイブロック体２・２…とローブロック体３・３とで囲われる当該ソファ基台１上にはシートクッション４を敷き詰め可能にすると共に、前記基台ユニットＵ・Ｕ…を必要に応じて並べ替えて、この並べ替えに応じて、ハイブロック体２およびローブロック体３を入れ替え可能に構成した点に特徴がある。
【００１２】
また本発明では、上記構成に替えて、平面視で大略正方形を成す複数個の基台ユニットＵ・Ｕを並べて形成されたソファ基台１と；このソファ基台１の各基台ユニットＵの一側辺と略同じ幅または一側辺よりも短い幅で形成され、かつ、背凭れとして使用可能な高さを有する複数のハイブロック体２・２と；このハイブロック体２よりも高さが低く、前記基台ユニットＵの一側辺と略同じ幅または一側辺よりも短い幅で形成され、肘掛けや足載せとして使用可能な複数のローブロック体３・３と；このローブロック体３・３と前記ハイブロック体２・２とで囲われる前記ソファ基台１上に敷き詰められるシートクッション４とを含んで組立て式ソファを構成する一方、
前記ハイブロック体２とローブロック体３の下面に差込ボスＢ・Ｂを配設すると共に、前記ソファ基台１を構成する基台ユニットＵ・Ｕの内、両側に配置される基台ユニットＵ・Ｕの少なくとも隣接する二側辺の上面に、前記差込ボスＢ・Ｂを挿入可能な差込孔Ｈを配設してブロック固定部11・11を設けることにより、
前記ソファ基台１に着座者が腰掛けたとき、背中側となる側辺部と両サイドとなる側辺部にブロック固定部11が配置されるように基台ユニットＵ・Ｕを配列し、この状態でハイブロック体２とローブロック体３を入れ替え可能として寝椅子に変形できるように構成することもできる。
【００１３】
また更に、上記構成に替えて、平面視で大略長方形を成すソファ基台１と；このソファ基台１の短辺部と略同じ幅または短辺部よりも短い幅で形成され、かつ、背凭れとして使用可能な高さを有する複数のハイブロック体２・２と；このハイブロック体２よりも高さが低く、前記基台ユニットＵの短辺部と略同じ幅または短辺部よりも短い幅で形成され、肘掛けや足載せとして使用可能な複数のローブロック体３・３と；このローブロック体３・３と前記ハイブロック体２・２とで囲われる前記ソファ基台１上に敷き詰められるシートクッション４とを含んで組立て式ソファを構成する一方、
前記ハイブロック体２とローブロック体３の下面に差込ボスＢ・Ｂを配設すると共に、前記ソファ基台１の両側の短辺部を含む隣接する三側辺の上面に、前記差込ボスＢ・Ｂを挿入可能な差込孔Ｈを配設してブロック固定部11・11を設けることにより、
前記ソファ基台１に着座者が腰掛けたとき、背中側となる側辺部と両サイドとなる側辺部に固定されるハイブロック体２とローブロック体３を入れ替え可能とすることもできる。
【発明の効果】
【００１４】
本発明では、背凭れや肘掛け、座部のクッションをソファ基台に着脱可能なパーツとしてソファを組立て式とし、更に前記背凭れと肘掛けについては固定位置を入れ替え可能に構成したことにより、組立て後のソファの形態を任意に変更することができるため、一脚のソファで何通りものくつろぎ方を楽しむことができる。
【００１５】
また本発明では、ソファを組立て式としたことにより、搬入を各パーツに分解したコンパクトな状態で行うことができるため、完成形のソファが大型の場合でも迅速に室内への搬入を行える。また組立て作業も、背凭れや肘掛けの差込ボスをソファ基台の止着孔に差し込んで、座部にクッションを載置するだけであるため、素早く簡単に行える。
【００１６】
また更に、ソファを組立て式にしたことにより、いくつかのバリエーションを設けた各パーツを組み合わせるだけでソファ全体の意匠のバリエーションを大幅に増やすことも可能となる。また、カバーの着脱を各パーツを取り外して行うことができるため、カバーリング作業の容易化も図れる。
【００１７】
したがって、本発明により、使用者側にとって機能面、デザイン面および使い勝手の面で都合が良く、また、メーカー側にとってもコスト面や納品作業の面で好都合なソファを提供できることから、本発明の実用的利用価値は頗る高い。
【図面の簡単な説明】
【００１８】
【図１】本発明の実施例１におけるソファを表わす分解斜視図である。
【図２】本発明の実施例１におけるソファを表わす全体斜視図及び上面図である。
【図３】本発明の実施例１におけるソファを表わす全体斜視図及び上面図である。
【図４】本発明の実施例１におけるソファの効果を説明するための参考図である。
【図５】本発明の実施例２におけるソファを表わす分解斜視図である。
【図６】本発明の実施例２におけるソファを表わす全体斜視図及び上面図である。
【図７】本発明の実施例２におけるソファを表わす全体斜視図及び上面図である。
【図８】本発明の実施例３におけるソファを表わす分解斜視図である。
【図９】本発明の実施例３におけるソファを表わす全体斜視図及び上面図である。
【図１０】本発明の実施例３におけるソファを表わす全体斜視図及び上面図である。
【図１１】本発明の変形例におけるソファを表わす上面図および分解斜視図である。
【発明を実施するための形態】
【００１９】
『実施例１』
まず本発明の実施例１について、図１から図５に基いて説明する。同図において、符号１で指示するものはソファ基台であり、符号２で指示するものはハイブロック体である。また符号３で指示するものは、ローブロック体であり、符号４で指示するものは、シートクッションである。
【００２０】
この実施例１では、ソファ基台１を構成する基台ユニットＵ・Ｕ(材質:木枠)を平面視で正方形を成す形状で作製し、かつ、ソファ基台１の隣接する二側辺の上面に、それぞれ二つずつ同じ間隔で差込孔Ｈ・Ｈを配設してブロック固定部11を設けている(図１参照)。また、ソファ基台１の底面には、各隅部に支持脚12・12…を着脱自在に設けている。
【００２１】
一方、背凭れとして使用するハイブロック体２(材質:ウレタン材)や肘掛けや脚載せとして使用するローブロック体３(材質:ウレタン材)の下部には、上記基台ユニットＵの差込孔Ｈ・Ｈと同じ間隔で丸棒状の差込ボスＢ・Ｂを二本ずつ設けており、これらの差込ボスＢ・Ｂを上記差込孔Ｈ・Ｈに差し込むことによって、ハイブロック体２とローブロック体３を、ソファ基台１のブロック固定部11に固定できるようにしている。
【００２２】
ちなみに、上記ハイブロック体２とローブロック体３の下部に設けた差込ボスＢは、一つでもよいが、複数設けることで使用時にかかる負荷を分散することができるため、細い棒状の部材でも使用することが可能となり、また複数設けることによって一本では回転してしまう丸棒等も差込ボスＢに使用できるようになる。
【００２３】
また、上記ハイブロック体２は、基台ユニットＵの二辺にハイブロック体２とローブロック体３がきれいに収まるように、基台ユニットＵの各辺の長さの約３分の２程度の幅で作製し、厚みを各辺の長さの３分の１程度としている。また、ローブロック体３は、基台ユニットＵの各辺の長さと略同じ幅で作製し、厚みは各辺の長さの３分の１程度としている。
【００２４】
そして更に、上記ソファ基台１上には、所定サイズ(基台ユニットＵの上面全体の面積からハイブロック体２やローブロック体３の載置スペースの面積を除いた大きさ)のシートクッション４・４を敷き詰めて座部を形成している。
【００２５】
上記のようにソファを構成したことにより、図２に示すように並べて配置した一方の基台ユニットＵのローブロック体３とハイブロック体２を入れ替えるだけで、通常のソファの形態から図３に示すような脚を伸ばした状態で横になれる寝椅子(シェーズロングソファ)へと変形させることができる。
【００２６】
また、上記ソファを各パーツに分解すれば、他の部屋や引越し先への搬入も容易に行うことができる。なお本実施例では、バックレスト３の上部を折畳・伸展可能に構成したことにより、図４(a)に示すようにソファ基台１上に分解した支持脚12・12…、及び上部を伸展したバックレスト２を載せて、梱包をコンパクトに行うこともできる。
【００２７】
また更に、上記ソファの各パーツについては、図４(b)に示すように様々なバリエーションから選択して組み合わせることができ、それによってソファの好みのデザインに仕上げることができる。加えて、図４(c)に示すように、各パーツを分解すればソファカバーＣの装着・取外しも簡単に行うこともできる。
【００２８】
『実施例２』
次に、本発明の実施例２について図５から図７に基づいて以下に説明する。この実施例２では、ソファ基台１を平面視で短辺と長辺の比が１対２の矩形型の形状で作製すると共に、ソファ基台１の両方の短辺を含む隣接する三側辺に複数の差込孔Ｈ・Ｈ…を配設してブロック固定部11・11…を設けている(図５参照)。
【００２９】
具体的には、まず両方の短辺部に、３つの差込孔Ｈ・Ｈ…を均等な間隔で設け、更に片方の長辺部にも、６つの差込孔Ｈ・Ｈ…を前記短辺部の差込孔Ｈ・Ｈ…と同じ間隔で配設している。また、ソファ基台１の隅部に設けた差込孔Ｈ’・Ｈ’は短辺部と長辺部で共用する形としている。
【００３０】
一方、ハイブロック体２には、差込孔Ｈ・Ｈと同じ間隔で二つの差込ボスＢ・Ｂを設け、ローブロック体３には、上記短辺部の両隅の差込孔Ｈ’・Ｈと同じ間隔で二本の差込ボスＢ・Ｂを設けている。また、ハイブロック体２は、幅を短辺部の長さの約３分の２とし、厚みを短辺部の約３分の１としている。他方、ローブロック体３は、幅を短辺部の長さと略同じとし、厚みを短辺部の約３分の１としている。
【００３１】
そして、図６に示すように、上記ソファ基台１の長辺部に設けたブロック固定部11に、上記ハイブロック体２・２を二個並べて固定し、更に両側の短辺部に設けたブロック固定部11・11に上記ローブロック体３・３を固定すれば、一般的な二人掛けのマルチソファに組み立てることができる。
【００３２】
また、上記ソファは、実施例１と同じく片方のローブロック体３をハイブロック体２と入れ替えることで、足を伸ばして座れる座椅子へと変形させることができ、その際には図７に示すようにローブロック体３を両方とも足側に配置するもでき、くつろぎ方に応じてソファを様々な形態に変形できる。
【００３３】
『実施例３』
次に、本発明の実施例３について図８から図１０に基づいて以下に説明する。この実施例３では、三個以上の基台ユニットＵ・Ｕ…を連結して矩形型のソファ基台１を構成している(図８参照)。また基台ユニットＵ・Ｕ…同士は、基台ユニットＵの各辺中央に設けた差込孔Ｈにコの字型のジョイント部材Ｊを差し込んで連結している。
【００３４】
また本実施例では、上記ソファ基台１を構成する基台ユニットＵ・Ｕ…の内、中央に配置する基台ユニットＵ’に固定するハイブロック体２の幅を、両端の基台ユニットＵ・Ｕに固定するハイブロック体２よりも広くして、背凭れに隙間ができないようにしている。
【００３５】
また更に、この実施例３では、シートクッション４を各基台ユニットＵの座面よりも大きいサイズで作製して複数の基台ユニットＵ・Ｕ…を跨いでシートクッション４を載置するようにしている。これにより、各基台ユニットＵ・Ｕ隙間からジョイント部材Ｊを隠すことができる。
【００３６】
そして、ソファ基台１の長辺部に対し、上記ハイブロック体２・２…を三個並べて固定し、更に両側の短辺部にそれぞれローブロック体３・３を固定すれば、図９に示すように３人掛けのマルチソファを構成することができ、両側のローブロック体３とハイブロック体２を入れ替えれば寝椅子へと変形できる。
【００３７】
また、上記ソファ基台１に、更に二個の基台ユニットＵ・Ｕ…を追加して端側の基台ユニットＵに垂直に連結すれば、図１０に示すようなＬ型のコーナーソファを構成したり、コの字型のソファ(図示せず)を構成することもできる。
【００３８】
本発明は、概ね上記のように構成されるが、本発明は上記実施例に限定されるものではなく、「特許請求の範囲」の記載内において種々の変更が可能であって、例えば、ハイブロック体２やローブロック体３に設ける差込ボスＢの数は二つでなくとも、一つや三つ以上であってもよい。但し、一つとする場合には、差込ボスＢおよび差込孔Ｈを回転しない形状とする必要がある。
【００３９】
また、ソファ基台１の差込孔Ｈ・Ｈ…に関しては、図１０(a)に示すように、一辺に設ける差込孔の数を４個でワンセットとしてもよく、その場合には、３個をワンセットとする場合よりもコストはかかるがハイブロック体２やローブロック体３の厚みの設計自由度を高めることができる。
【００４０】
そしてまた、複数の基台ユニットＵ・Ｕ…からソファ基台１を構成する場合には、図１１(b)に示すように、コの字型のジョイント部材Ｊを用いなくても、隣り合う基台ユニットＵ・Ｕに布帛片を面着ファスナ等で取り付けて両者の連結を行うこともできる。
【００４１】
そしてまた、ソファ基台１やハイブロック体２、ローブロック体３の材質は、耐久性等を考慮して適宜変更することができ、何れのものも本発明の技術的範囲に属する。
【産業上の利用可能性】
【００４２】
近年、ソファは、疲れを癒すくつろぎの道具として、また部屋の雰囲気を左右する重要なインテリアとして、重要な存在となっている。しかし、従来のソファでは、使用者の多様化した嗜好や生活様式に合わせることは難しい。
【００４３】
そのような中で、本発明の組立・組替え可能なソファ構造物は、引越しや模様替えによる搬送作業を容易に行えるだけでなく、使用者の求めるデザイン、使用方法に応じて形態を自由に変化させることのできる有用な技術であることから、その産業上の利用価値は非常に高い。
【符号の説明】
【００４４】
１  ソファ基台
11  ブロック固定部
12  支持脚
２  ハイブロック体
３  ローブロック体
４  シートクッション
Ｂ  差込ボス
Ｈ  差込孔
Ｃ  ソファカバー
Ｕ  基台ユニット
Ｊ  ジョイント部材
【図１】
2012223484.tif 000003
【図２】
2012223484.tif 000004
【図３】
2012223484.tif 000005
【図４】
2012223484.tif 000006
【図５】
2012223484.tif 000007
【図６】
2012223484.tif 000008
【図７】
2012223484.tif 000009
【図８】
2012223484.tif 000010
【図９】
2012223484.tif 000011
【図１０】
2012223484.tif 000012
【図１１】
2012223484.tif 000013